(57)【特許請求の範囲】
【請求項１】
外装体と、該外装体の内側に固定された、吸収体を含む吸収性本体とを具備し、該外装体は、装着時に装着者の腹側に配される腹側部、背側に配される背側部、前記腹側部及び前記背側部の間に配される股下部を有し、前記腹側部及び前記背側部に位置するそれぞれの両側縁部が接合されて、ウエスト開口部及び一対のレッグ開口部が形成されたパンツ型吸収性物品であって、
前記吸収体は、中央吸収体と、該中央吸収体の両側縁部に沿って対称的に配された一対のサイド吸収体と、該中央吸収体と一対のサイド吸収体それぞれとの間に配された切離部とを有しており、
前記外装体及び前記吸収性本体は、少なくとも前記股下部において、該吸収性本体の両側部に沿って延びる一対の縦固定接合部にて固定されており、
一対の前記縦固定接合部は、それぞれ、前記切離部に対応する位置に配されており、断面視して、前記中央吸収体の側縁部及び前記サイド吸収体の横方向内方側縁部と重なっており、
前記外装体及び前記吸収性本体は、該吸収性本体の縦方向の前記背側部側の端部及び前記腹側部側の端部それぞれにおいて、横方向に延びる横固定接合部にて固定されており、
前記中央吸収体は、縦方向の前記背側部側の端部及び前記腹側部側の端部の少なくとも一方に、前記股下部に向かって凸状に切り欠かれた切欠部を有しており、
前記横固定接合部は、前記切欠部に対応する切欠対応位置の接合強度と該切欠対応位置の両サイド部の接合強度を比較した場合、該切欠対応位置の接合強度が相対的に低く、該切欠対応位置の両サイド部の接合強度が相対的に高いパンツ型吸収性物品。
【請求項２】
前記横固定接合部は、その両端部の接合強度が前記切欠対応位置の両サイド部の接合強度より相対的に低い請求項１に記載のパンツ型吸収性物品
【請求項３】
一対の前記縦固定接合部は、それぞれ、前記背側部側の前記横固定接合部と前記腹側部側の前記横固定接合部との間に亘って延在している請求項１又は請求項２に記載のパンツ型吸収性物品
【発明の詳細な説明】
【技術分野】
【０００１】
本発明は、使い捨ておむつ等のパンツ型吸収性物品に関する。
【背景技術】
【０００２】
従来のパンツ型吸収性物品として、外装体の内側に吸収体を含む吸収性本体を固定し、外装体の腹側部及び背側部に位置する両側縁部を接合して、ウエスト開口部及び一対のレッグ開口部を形成したパンツ型吸収性物品が知られている。
【０００３】
例えば、特許文献１には、吸収体コアを有する吸収体とバックシートとの固定に関し、横方向に延びる複数個の貼付領域と非貼付領域とが設けられて形成されたパンツ型使い捨ておむつが記載されている。
また、特許文献２には、吸収材を有する吸収性本体と外装シートとの固定に関し、吸収性本体の前後端部は、外装シートに横方向で全面接合することにより取付けられており、この前後端部の間の中間部分は、吸収性本体の最両側縁部から内入りした位置において横方向に部分接合することにより取付けられて形成されたパンツ型使い捨ておむつが記載されている。
【先行技術文献】
【特許文献】
【０００４】
【特許文献１】特開２００４−２９８３９５号公報
【特許文献２】特許第４０２５１０１号公報
【発明の概要】
【発明が解決しようとする課題】
【０００５】
しかしながら、特許文献１及び特許文献２に記載のパンツ型使い捨ておむつともに、備える吸収体の形状が、一般的ないわゆる砂時計型の形状であり、吸収体に吸収性コアの配されていない切離部を有する形態ではない。
【０００６】
したがって、本発明の課題は、切離部を有する吸収体を備えたパンツ型着用物品において、装着状態の吸収性本体の形態安定性を向上させ、漏れを防止できるパンツ型吸収性物品を提供することにある。
【課題を解決するための手段】
【０００７】
本発明は、外装体と、該外装体の内側に固定された、吸収体を含む吸収性本体とを具備し、該外装体は、装着時に装着者の腹側に配される腹側部、背側に配される背側部、前記腹側部及び前記背側部の間に配される股下部を有し、前記腹側部及び前記背側部に位置するそれぞれの両側縁部が接合されて、ウエスト開口部及び一対のレッグ開口部が形成されたパンツ型吸収性物品であって、前記吸収体は、中央吸収体と、該中央吸収体の両側縁部に沿って対称的に配された一対のサイド吸収体と、該中央吸収体と一対のサイド吸収体それぞれとの間に配された切離部とを有しており、前記外装体及び前記吸収性本体は、少なくとも前記股下部において、該吸収性本体の両側部に沿って延びる一対の縦固定接合部にて固定されており、一対の前記縦固定接合部は、それぞれ、前記切離部に対応する位置に配されており、断面視して、前記中央吸収体の側縁部及び前記サイド吸収体の横方向内方側縁部と重なっているパンツ型吸収性物品を提供するものである。
【発明の効果】
【０００８】
本発明のパンツ型吸収性物品によれば、装着状態の吸収性本体の形態安定性が向上し、排泄物の漏れを効果的に防止することができる。
【図面の簡単な説明】
【０００９】
【図１】図１は、本発明の一実施形態であるパンツ型使い捨ておむつの斜視図である。
【図２】図２は、図１に示すパンツ型使い捨ておむつを伸長させて拡げた状態を表面シート側から見た一部破断平面図である。
【図３】図３は、図２に示すパンツ型使い捨ておむつの具備する吸収性本体の吸収体と外装体とを固定する接合部の配置関係を説明する要部拡大平面図である。
【図４】図４（ａ）は、図２のＸ１−Ｘ１線断面図であり、図４（ｂ）は、図１に示すパンツ型使い捨ておむつの装着状態における図２のＸ１−Ｘ１線断面図である。
【図５】図５（ａ）は、本発明の他の実施形態のパンツ型使い捨ておむつの備える吸収体の平面図であり、図５（ｂ）は、本発明の更に他の実施形態のパンツ型使い捨ておむつの備える吸収体の平面図である。
【発明を実施するための形態】
【００１０】
以下、本発明のパンツ型吸収性物品を、その好ましい実施形態に基づき、図１〜図４を参照しながら説明する。
【００１１】
本実施形態のパンツ型使い捨ておむつ１（以下、「おむつ１」ともいう。）は、図１，図２に示すように、外装体２と、外装体２の内側に固定された、吸収体３１を含む吸収性本体３とを具備している。おむつ１の外装体２は、図１，図２に示すように、装着時に装着者の腹側に配される腹側部Ａ、装着時に装着者の背側に配される背側部Ｂ、腹側部Ａ及び背側部Ｂの間に配される股下部Ｃを有している。おむつ１は、図１に示すように、ウエスト開口部ＷＯ及び一対のレッグ開口部ＬＯ，ＬＯを有するパンツ型使い捨ておむつであるとなる。以下、おむつ１について、詳述する。
【００１２】
おむつ１は、図１〜図４に示すように、中心線ＣＬに対して左右対称に形成されている。従って以下の説明では、左右対称な部分については、主に、右側について説明する。
また、本明細書において、「肌当接面」とは、吸収性本体３などの各部材の表裏両面のうち、装着時に装着者の肌側に配される面であり、「非肌当接面」とは、吸収性本体などの各部材の表裏両面のうち、装着時に装着者の肌側とは反対側に向けられる面である。
おむつ１は、図１〜図４に示すように、腹側部Ａから股下部Ｃを介して背側部Ｂに亘る方向の縦方向（以下「Ｙ方向」ともいう。Ｙ方向：中心線ＣＬに平行な方向をいう。）と、縦方向（Ｙ方向）に直交する横方向（以下「Ｘ方向」ともいう。）とを備えている。
【００１３】
おむつ１の備える外装体２は、図１に示すように、おむつ１の外観を構成しており、図２に示すように、伸長状態において、おむつ１の縦方向（Ｙ方向）に、腹側部Ａ、股下部Ｃ、背側部Ｂを有している。腹側部Ａ、背側部Ｂ及び股下部Ｃは、図２に示す展開状態のおむつ１において、その縦方向（Ｙ方向）の全長を略３等分に区分したときの各領域である。
【００１４】
外装体２は、図２に示すように、縦方向（Ｙ方向）中央部の両側部において内方に括れている。本実施形態のおむつ１においては、外装体２の腹側部Ａ側の両側縁部２ｄ，２ｄの内面と外装体２の背側部Ｂ側の両側縁部２ｅ，２ｅの内面同士を互いに重ね合わせ、合掌状に固定することにより、図１に示すように、一対のサイドシール部５，５が形成されるとともに、ウエスト開口部ＷＯ及び一対のレッグ開口部ＬＯ，ＬＯが形成される。
【００１５】
おむつ１は、図２に示すように、外装体２における腹側部Ａ及び背側部Ｂそれぞれに、横方向（Ｘ方向）に伸長した複数本の弾性部材４を有している。詳述すると、本実施形態のおむつ１の有する弾性部材４は、複数本のウエスト弾性部材４１、複数本の胴回り弾性部材４２及び複数本のレッグ弾性部材４３からなる。外装体２は、本実施形態においては、図２に示すように、非肌当接面側にパンツ型使い捨ておむつ１の最外表面となる外層シート２１と、外層シート２１の内面側（肌当接面側）に配され、ホットメルト等の接着剤やヒートシール等の融着により固定される内層シート２２とから形成されている。本実施形態の外層シート２１は、内層シート２２の縦方向（Ｙ方向）の両外方縁よりそれぞれ延出しており、延出した部分が吸収性本体３側に折り返され、折り返された外層シート２１が、吸収性本体３の縦方向（Ｙ方向）の両外方端部上を被覆している。外装体２を構成する外層シート２１及び内層シート２２の間に、図１，図２に示すように、弾性部材４であるウエスト弾性部材４１、胴回り弾性部材４２及びレッグ弾性部材４３が配されていることにより、おむつ１の外装体２には、ウエスト弾性領域（ウエストギャザー）、胴回り弾性領域（胴回りギャザー）及び環状の一対のレッグ弾性領域（レッグギャザー）が形成される。
【００１６】
ウエスト弾性領域（ウエストギャザー）は、図１，図２に示すように、腹側部Ａ及び背側部Ｂそれぞれにおいて、横方向（Ｘ方向）に伸長した状態で、複数本のウエスト弾性部材４１を、ウエスト開口部ＷＯの開口縁から股下部Ｃに向かって６０ｍｍまでの領域、好ましくは２〜４０ｍｍの領域に間欠的に配し、外装体２の外層シート２１及び／又は内層シート２２に固定することにより形成されている。胴回り弾性領域（胴回りギャザー）も同様に、図１，図２に示すように、腹側部Ａ及び背側部Ｂそれぞれにおいて、横方向（Ｘ方向）に伸長した状態で、複数本の胴回り弾性部材４２を、ウエスト弾性部材４１より股下部Ｃ寄り（内方側）に間欠的に配し、外装体２の外層シート２１又は内層シート２２に固定することにより形成されている。レッグ弾性領域（レッグギャザー）は、図１，図２に示すように、腹側部Ａ及び背側部Ｂそれぞれにおいて、外装体２の括れに沿って伸長した状態で、複数本のレッグ弾性部材４３を、互いに間隔を空けて配し、外装体２の外層シート２１又は内層シート２２に固定することにより形成されている。
【００１７】
本実施形態では、おむつ１の有する胴回り弾性部材４２は、外装体２と吸収性本体３とが重なる領域においては伸縮性を発現する状態で配されていない。ここで、「伸縮性を発現する状態で配されていない」とは、弾性部材４２が前記重なる領域に配されていない形態を意味するのみならず、前記重なる領域に配されていたとしても、複数本の弾性部材４２が個々細かく分断されていたり過剰の熱を付与されていたりして、もはや伸縮性を失ってしまった状態で配されている場合も含む意味である。具体的には、本実施形態のおむつ１においては、複数本の胴回り弾性部材４２の内、外装体２と吸収性本体３とが重なる領域に位置する腹側部Ａ側の胴回り弾性部材４２は、吸収性本体３の両側縁それぞれと一対のサイドシール部５それぞれとの間においては横方向（Ｘ方向）に伸長した状態で配されているが、該重なる領域においては、各胴回り弾性部材４２が細かく分断され伸縮性を失ってしまった状態で配されている。背側部Ｂ側の胴回り弾性部材４２についても、腹側部Ａ側の胴回り弾性部材４２と同様に、外装体２と吸収性本体３とが重なる領域においては、各胴回り弾性部材４２が細かく分断され伸縮性を失ってしまった状態で配されている。
【００１８】
外装体２の内側に固定された吸収性本体３は、図２に示すように、実質的に縦長の長方形状であり、液透過性の表面シート３２、液不透過性（撥水性も含む）の裏面シート３３、両シート３２，３３間に介在する吸収体３１を備えている。また、吸収性本体３は、図２に示すように、吸収性本体３の縦方向（Ｙ方向）の両側部３ｄ，３ｄに、液抵抗性又は撥水性で且つ通気性の素材から構成された側方カフス３４，３４を備えている。各側方カフス３４の自由端部近傍には、図２に示すように、立体ギャザー形成用弾性部材３５が縦方向（Ｙ方向）に伸長した状態で配されている。側方カフス３４は、おむつの装着時に自由端部側が起立し、所謂立体ギャザーとなり横方向（Ｘ方向）への体液の流出が阻止される。
【００１９】
吸収性本体３の備える吸収体３１は、図２，図３に示すように、中央吸収部としての中央吸収体３１１と、中央吸収体３１１の両側縁部３１１ｄ，３１１ｄに沿って対称的に配された一対のサイド吸収部としてのサイド吸収体３１２，３１２と、中央吸収体３１１と一対のサイド吸収体３１２，３１２それぞれとの間に配された切離部３１３とを有している。本実施形態のおむつ１においては、中央吸収体３１１は腹側部Ａから背側部Ｂに亘って配されており、サイド吸収体３１は股下部Ｃに配されており、中央吸収体３１１と一対のサイド吸収体３１２，３１２それぞれとは、切離部３１３を介在させてそれぞれが分離している。尚、切離部３１３には、全く吸収体が存在しないことが好ましいが、若干（１０ｇ／ｍ2程度）存在する場合も本願発明の効果を同様に奏するため含む。
【００２０】
中央吸収体３１１は、本実施形態のおむつ１においては、縦方向（Ｙ方向）の腹側部Ａ側の端部３１１ａに、股下部Ｃに向かって凸状に切り欠かれた腹側切欠部３１４を有し、更に背側部Ｂ側の端部３１１ｂに、股下部Ｃに向かって凸状に切り欠かれた背側切欠部３１５を有している。
吸収体３１は、図２，図３に示すように、腹側切欠部３１４及び背側切欠部３１５を有する中央吸収体３１１と、一対のサイド吸収体３１２，３１２と、一対の切離部３１３，３１３と、ティッシュペーパーや透水性の不織布からなる透水性の被覆シート（図示せず）とを有し、中央吸収体３１１及び一対のサイド吸収体３１２，３１２の全体が、透水性の被覆シート（図示せず）で被覆されて形成されている。
【００２１】
中央吸収体３１１は、図２に示すように、吸収性本体３の縦方向（Ｙ方向）両外方縁それぞれから間隔Ｌ（図２参照）を空けて、吸収性本体３の縦方向（Ｙ方向）に、腹側部Ａから背側部Ｂに亘って配されている。各間隔Ｌは、製造中の中央吸収体３１１の吸収性本体３の縦方向（Ｙ方向）への蛇行による吸収性本体３のカット不良防止の観点から、１０ｍｍ以上あることが好ましい。一方で、製造中の吸収性本体３の搬送時の吸収性本体間隔Ｌに相当する領域の捲れを防止するために１１０ｍｍ以下の間隔が好ましい。吸収性本体３を安定した形状で得る観点から、間隔Ｌは１０〜８０ｍｍであることが好ましい。
【００２２】
中央吸収体３１１の背側切欠部３１５は、本実施形態においては、図３に示すように、中央吸収体３１１の背側部Ｂ側の端部３１１ｂの横方向（Ｘ方向）中央部を、股下部Ｃに向かって三角形状に切り欠いて形成されている。従って、中央吸収体３１１は、本実施形態においては、図２，図３に示すように、背側部Ｂ側において、Ｙ字状に形成されている。切り欠かれた部分の面積は、装着中の観美性と吸収性能の両立の観点から、１５００〜２８００ｍｍ2、特に１９００〜２４００ｍｍ2であることが好ましい。尚、背側切欠部３１５の形状は、三角形状が好ましいが、このような面積を有するように切り欠かれていれば半円形状、半楕円形状、四角形状、多角形状等であってもよい。本実施形態においては、中央吸収体３１１の腹側切欠部３１４についても同様である。尚、防漏性の観点から、腹側部分の吸収材は多いほうが良く、特に男性の座位姿勢の場合は、前モレ頻度が高いため、腹側切欠部３１４の面積の方が背側切欠部３１５の面積より小さいことが好ましい。
【００２３】
各サイド吸収体３１２は、少なくとも股下部Ｃに配されていればよく、その縦方向（Ｙ方向）の長さは、中央吸収体３１１の縦方向（Ｙ方向）の長さの２０％〜９５％好ましくは６０％〜８０％であることが好ましい。尚、各サイド吸収体３１２及び中央吸収体３１１の縦方向（Ｙ方向）の長さは、縦方向（Ｙ方向）に最も長い位置での長さである。
【００２４】
各サイド吸収体３１２と中央吸収体３１１とを分離する切離部３１３の幅は、５〜４０ｍｍであることが好ましく、１０〜３０ｍｍであることが防漏性の観点から更に好ましい。尚、切離部３１３の幅（各サイド吸収体３１２と中央吸収体３１１との間隔）は、最も狭い位置での長さである。
【００２５】
吸収性本体３は、中央吸収体３１１及び一対のサイド吸収体３１２，３１２を被覆シート（図示せず）で被覆して形成される吸収体３１を挟持するように、表面シート３２と裏面シート３３とがホットメルト等の接着手段等により固定されて形成されており、一対のサイド吸収体３１２，３１２と中央吸収体３１１との間の切離部３１３、腹側切欠部３１４及び背側切欠部３１５においては、被覆シート（図示せず）を介して表面シート３２及び裏面シート３３が固定されて形成されている。
【００２６】
外装体２及び吸収性本体３は、図２，図３に示すように、少なくとも股下部Ｃにおいて、吸収性本体３の両側部３ｄ，３ｄに沿って延びる一対の縦固定接合部５１，５１にて固定されていればよいが、本実施形態のおむつ１においては、後述する背側部Ｂ側の横固定接合部５２と腹側部Ａ側の横固定接合部５２との間に亘って延在する一対の縦固定接合部５１，５１にて固定されている。縦固定接合部５１も後述する横固定接合部５２も、ホットメルト等の接着剤やヒートシール、超音波シール、高周波シール等の融着手段により形成される。
一対の縦固定接合部５１，５１は、それぞれ、図２に示すように、少なくとも股下部Ｃにおいて、切離部３１３に対応する位置に配されており、図４（ａ）に示すように、断面視して、中央吸収体３１１の側縁部３１１ｄ及びサイド吸収体３１２の横方向内方側縁部３１２ｄと横方向に関して重なっている。言い換えれば、縦固定接合部５１は、本実施形態においては、縦方向（Ｙ方向）においては、吸収性本体３の全長に亘って配されており、横方向（Ｘ方向）においては、切離部３１３の幅よりも幅広であり、中央吸収体３１１の側縁部３１１ｄからサイド吸収体３１２の横方向内方側縁部３１２ｄに亘って配されている。
【００２７】
また、外装体２及び吸収性本体３は、本実施形態のおむつ１においては、図２，図３に示すように、一対の縦固定接合部５１，５１のみならず、吸収性本体３の縦方向（Ｙ方向）の背側部Ｂ側の端部３ｂ及び腹側部Ａ側の端部３ａそれぞれにおいて、横方向（Ｘ方向）に延びる横固定接合部５２にて固定されている。
背側部Ｂ側の横固定接合部５２及び腹側部Ａ側の横固定接合部５２は、横方向（Ｘ方向）においては、図２，図３に示すように、吸収性本体３の両側縁間に亘って配されている。また、背側部Ｂ側の横固定接合部５２及び腹側部Ａ側の横固定接合部５２は、縦方向（Ｙ方向）においては、吸収性本体３の縦方向（Ｙ方向）の端縁から６０ｍｍの範囲に配されていることが好ましく、特に４５ｍｍの範囲に配されていることが好ましい。具体的には、吸収性本体３の縦方向（Ｙ方向）の端縁と中央吸収体３１１の腹側切欠部３１４の頂点又は背側切欠部３１５の頂点との間に亘って配されていることが好ましく、図２，図３に示すように、吸収性本体３の縦方向（Ｙ方向）の端縁と中央吸収体３１１の縦方向（Ｙ方向）端縁との間に亘って配されていることが更に好ましい。
【００２８】
背側部Ｂ側の横固定接合部５２は、本実施形態のおむつ１においては、図３に示すように、背側部Ｂ側の背側切欠部３１５に対応する切欠対応位置５２ｆの接合強度が相対的に低く、切欠対応位置５２ｆの両サイド部５２ｇ，５２ｇの接合強度が相対的に高くなっている。このように、両サイド部５２ｇ、５２ｇの接合強度が切欠対応位置５２ｆの接合強度に対して相対的に高いことによって、吸収体３１の長手方向端部位置がずれ難く、サイド吸収体３１２の起立位置が定まり易くなる。しかも切欠対応位置５２ｆの接合強度がその両側に位置する両サイド部５２ｇ、５２ｇに対して相対的に低いので、切欠対応位置５２ｆが低剛性となり、おむつ１の装着時に柔らかい風合いとなる。腹側部Ａ側の横固定接合部５２についても、背側部Ｂ側の横固定接合部５２と同様である。また、切り欠き対応位置５２ｆの両サイド部５２ｇ、５２ｇの接合強度が高いことで、切り欠き対応位置５２ｆにテンションをかけることができ、吸収体３１の皺の形成を抑制することが可能となる。これによって、皺による排泄物漏れの経路形成を抑制できるとともに、高齢者に多い褥瘡の予防が可能となる。
【００２９】
背側部Ｂ側の横固定接合部５２は、本実施形態のおむつ１においては、その両端部５２ｈ，５２ｈの接合強度が相対的に低くなっている。即ち、おむつ１の背側部Ｂ側の横固定接合部５２は、横方向（Ｘ方向）中央の切欠対応位置５２ｆの接合強度が相対的に低く、切欠対応位置５２ｆの両サイド部５２ｇ，５２ｇの接合強度が相対的に高く、各サイド部５２ｇの横方向（Ｘ方向）外方の端部５２ｈの接合強度が相対的に低くなっており、横方向（Ｘ方向）に接合強度の高い部分と接合強度の低い部分とが交互に配置されている。このように、横固定接合部５２の両サイド部５２ｇ、５２ｇ各々が両端部５２ｈ、切欠対応位置５２ｆ、両端部５２ｈというように接合強度が相対的に低い領域で挟まれるので、相対的に弱い接合部が外力の緩衝領域として働くことにより、接合が良好に維持され易くなる。これによって、高剛性領域の配置面積を最小限に抑えることができ、低剛性領域を広く配することが可能となるので、風合いの面で好ましい。また、このような構成であると、外装体２に胴回り弾性部材４２による胴回りギャザーが形成されていても、両端部５２ｈ，５２ｈが低剛性となり、おむつ１の装着時に柔らかい風合いとなる。更に、両端部５２ｈ、５２ｈの横方向内方に存在する両サイド部５２ｇ、５２ｇは高剛性となることから、サイド吸収体３１２の立ち上がりの起点である切離部３１３を効果的に働かせるためには、横固定接合部５２のサイド部５２ｇにおける端部５２ｈ側の接合ライン（境界）とサイド部５２ｇにおける切欠対応位置５２ｆ側の接合ライン（境界）が切離部３１３に対して、作用点として働く。よって、結果的に切離部３１３が屈曲点として働きやすくなる。
【００３０】
本実施形態のおむつ１においては、縦固定接合部５１及び横固定接合部５２が、ホットメルトの塗布により形成されている。
縦固定接合部５１におけるホットメルトの塗布量は、２〜７ｇ／ｍ2であることが好ましい。
横固定接合部５２の切欠対応位置５２ｆ及び両端部５２ｈ，５２ｈにおけるホットメルトの塗布量は、２〜７ｇ／ｍ2であることが好ましい。装着時の風合いの観点から、４〜６ｇ／ｍ2がより好ましい。横固定接合部５２の切欠対応位置５２ｆの両サイド部５２ｇ，５２ｇにおけるホットメルトの塗布量は、４〜１４ｇ／ｍ2であることが好ましい。装着時の風合いの観点から、８〜１２ｇ／ｍ2がより好ましい。また、両サイド部５２ｇのホットメルトの塗布量は、切欠対応位置５２ｆ、両端部５２ｈのホットメルト塗布量の１．２〜５倍、特に１．５〜３倍の坪量であることがサイド吸収体３１２の立ち上がり位置の基点である切離部３１３を効率的に働かせる観点から好ましい。
上述したように、本実施形態のおむつ１においては、縦固定接合部５１と横固定接合部５２が重なり合うサイド部５２ｇでは、高塗布量となしているが、これは、縦固定接合部５１の塗布量と横固定接合部５２の塗布量を足し合わせたものである。すなわち、縦固定接合部５１と横固定接合部５２が互いに重なりあうことで、高接合領域を形成することができる。一方で、別手段としては、ホットメルトの塗布量を部分的に制御し、変更することにより、特に横固定接合部５２における高接合強度部分と低接合強度部分とを形成してもよい。また、それに限らず、例えば、ヒートシール、超音波シール、高周波シール等の融着手段と、ホットメルトとの併用により高接合強度部分を形成してもよい。
【００３１】
本実施形態のパンツ型使い捨ておむつ１の形成材料について説明する。
外装体２を構成する外層シート２１と内層シート２２としては、通常、使い捨ておむつ等の吸収性物品に用いられるものであれば、特に制限なく用いることができる。例えば、外層シート２１及び内層シート２２としては、撥水性の不織布等を用いることができる。
【００３２】
吸収性本体３を構成する表面シート３２、裏面シート３３、吸収体３１及び側方カフス３４を形成するシートとしては、それぞれ、通常、使い捨ておむつ等の吸収性物品に用いられるものであれば、特に制限なく用いることができる。例えば、表面シート３２としては、親水性且つ液透過性の不織布等を用いることができ、裏面シート３３としては、液不透過性又は撥水性の樹脂フィルムや樹脂フィルムと不織布の積層体等を用いることができる。側方カフス３４を形成するシートとしては、伸縮性のフィルム、不織布、織物またはそれらの積層シート等を用いることができる。吸収体３１の有する中央吸収体３１１及び一対のサイド吸収体３１２，３１２としては、吸収性ポリマーの粒子及び繊維材料から構成された吸収コア等を用いることができる。
【００３３】
ウエスト弾性領域（ウエストギャザー）を形成するウエスト弾性部材４１、胴回り弾性領域（胴回りギャザー）を形成する胴回り弾性部材４２、レッグ弾性領域（レッグギャザー）を形成するレッグ弾性部材４３、及び側方カフス３４に配される立体ギャザー形成用弾性部材３５としては、それぞれ、通常、使い捨ておむつ等の吸収性物品に用いられるものであれば、特に制限なく用いることができ、例えば、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００３４】
サイドシール部５の接合には、通常、使い捨ておむつ等の吸収性物品に用いられる接着剤や、ヒートシール、超音波シール、高周波シール等の融着手段が用いられる。表面シート３２、裏面シート３３、側方カフス３５の固定も同様に、通常、使い捨ておむつ等の吸収性物品に用いられるホットメルト等の接着剤やヒートシール、超音波シール、高周波シール等の融着手段が用いられる。
【００３５】
上述した本発明の実施形態であるパンツ型使い捨ておむつ１（以下、「おむつ１」ともいう。）を使用した際の作用効果について説明する。
本実施形態のおむつ１は、図４（ａ）に示すように、吸収体３１が、中央吸収体３１１と、一対のサイド吸収体３１２，３１２と、一対の切離部３１３，３１３とを有するパンツ型使い捨ておむつであり、外装体２と吸収性本体３とが、吸収性本体３の両側部３ｄ，３ｄに沿って延びる一対の縦固定接合部５１，５１にて固定されており、縦固定接合部５１は、切離部３１３に対応する位置に配されており、断面視して、中央吸収体３１１の側縁部３１１ｄ及びサイド吸収体３１２の横方向内方側縁部３１２ｄと重なっている。このように形成されたおむつ１を装着すると、図４（ｂ）に示すように、装着状態の吸収性本体３の形態安定性が向上し、排泄物の漏れを効果的に防止することができる。具体的には、おむつ１を装着すると、立体ギャザー形成用弾性部材３５の収縮により立体ギャザーが起立するが、その際、切離部３１３が屈曲の起点となり、一対のサイド吸収体３１２，３１２が立ち上がり易く、立ち上がった一対のサイド吸収体３１２，３１２及び中央吸収体３１１により排泄物の漏れを効果的に防止することができる。
【００３６】
本実施形態のおむつ１は、図２，図３に示すように、一対の縦固定接合部５１，５１のみならず、吸収性本体３の縦方向（Ｙ方向）の端部３ａ，３ｂにおいて、横固定接合部５２にて固定されており、一対の縦固定接合部５１，５１それぞれは、腹側部Ａ側の横固定接合部５２と背側部Ｂ側の横固定接合部５２との間に亘っている。縦固定接合部５１と横固定接合部５２との間に亘ることで、縦固定接合部５１は実質的に吸収性本体にホットメルトを連続して塗布される。そのように連続して塗布することで、製造時にホットメルトの塗工ムラを防ぐことができ、外層体２との接合に関しては、製造時及び装着時の両方において吸収性本体３の剥がれ、もしくは、脱落を防ぐことができる。特に、装着中においては、中央吸収体３１１と切離部３１３との間もしっかり固定されることで、サイド吸収体３１２の立ち上がりを積極的に助ける。
【００３７】
また、サイド吸収体３１２の立ち上がりの起点である切離部３１３を効果的に働かせるためには、横固定接合部５２のサイド部５２ｇにおける端部５２ｈ側の接合ライン（境界）とサイド部５２ｇにおける切欠対応位置５２ｆ側の接合ライン（境界）が切離部３１３に対して、作用点として働く。よって、結果的に切離部３１３が屈曲点として働きやすくなる。
【００３８】
本発明のパンツ型吸収性物品であるパンツ型使い捨ておむつは、上述の実施形態のパンツ型使い捨ておむつに何ら制限されるものではなく、適宜変更可能である。
【００３９】
例えば、上述の実施形態のパンツ型使い捨ておむつ１においては、図２に示すように、各サイド吸収体３１２は、切離部３１３を介在させることにより中央吸収体３１１と完全に独立しているが、各サイド吸収体３１２は、背側部Ｂ側の縦方向（Ｙ方向）端部及び腹側部Ａ側の縦方向（Ｙ方向）端部のいずれか一方が中央吸収体３１１と連設されていてもよく、背側部Ｂ側の縦方向（Ｙ方向）端部及び腹側部Ａ側の縦方向（Ｙ方向）端部のいずれもが中央吸収体３１１と連設されていてもよい。例えば、図５（ａ）に示す吸収体３１における各サイド吸収体３１２は、背側部Ｂ側の縦方向（Ｙ方向）端部が中央吸収体３１１と連設されており、腹側部Ａ側の縦方向（Ｙ方向）端部が中央吸収体３１１と連設されておらず、開放されている。また、図５（ｂ）に示す吸収体３１における各サイド吸収体３１２は、背側部Ｂ側の縦方向（Ｙ方向）端部が中央吸収体３１１と連設されており、腹側部Ａ側の縦方向（Ｙ方向）端部も中央吸収体３１１と連設されており、切離部３１３が股下部Ｃにのみ形成されている。
【００４０】
また、上述の実施形態のパンツ型使い捨ておむつ１においては、図２に示すように、外層シート２１は、内層シート２２の縦方向（Ｙ方向）の両外方縁よりそれぞれ延出しているが、延出していなくてもよい。
また、上述の実施形態のパンツ型使い捨ておむつ１においては、図２に示すように、外装体２と吸収性本体３とが、吸収性本体３の全長に亘る一対の縦固定接合部５１，５１にて固定されて形成されているが、股下部Ｃにのみに亘る一対の縦固定接合部５１，５１にて固定されて形成されていてもよい。
【００４１】
また、上述の実施形態のパンツ型使い捨ておむつ１においては、図２に示すように、外装体２と吸収性本体３とが、一対の縦固定接合部５１，５１のみならず、背側部Ｂ側の横固定接合部５２及び腹側部Ａ側の横固定接合部５２においても固定されているが、一対の縦固定接合部５１，５１のみで固定されて形成されていてもよい。また、背側部Ｂ側の横固定接合部５２及び腹側部Ａ側の横固定接合部５２においても固定する場合、接合強度が相対的に高い部位と接合強度が相対的に低い部位を設けなくてもよい。
【００４２】
また、パンツ型吸収性物品は、幼児又は成人用のパンツ型使い捨ておむつの他、パンツ型の生理用ナプキン等であってもよい。
【符号の説明】
【００４３】
１  パンツ型使い捨ておむつ
２  外装体
２ｄ  腹側部Ａ側の側縁部
２ｅ  背側部Ｂ側の側縁部
２１  外層シート
２２  内層シート
３  吸収性本体
３ａ  腹側部Ａ側の端部
３ｂ  背側部Ｂ側の端部
３ｄ  縦方向（Ｙ方向）の側部
３１  吸収体
３１１  中央吸収体
３１１ａ  腹側部Ａ側の端部
３１１ｂ  背側部Ｂ側の端部
３１１ｄ  側縁部
３１２  サイド吸収体
３１２ｄ  側縁部
３１３  切離部
３１４  腹側切欠部
３１５  背側切欠部
３２  表面シート
３３  裏面シート
３４  側方カフス
３５  立体ギャザー形成用弾性部材
４  弾性部材
４１  ウエスト弾性部材
４２  胴回り弾性部材
４３  レッグ弾性部材
５  サイドシール部
５１  縦固定接合部
５２  横固定接合部
５２ｆ  切欠対応位置、５２ｇ  サイド部、５２ｈ  端部
Ａ  腹側部，Ｂ  背側部，Ｃ  股下部
ＣＬ  おむつの縦方向に延びる中心線
【図１】
0005838077.tif 000002
【図２】
0005838077.tif 000003
【図３】
0005838077.tif 000004
【図４】
0005838077.tif 000005
【図５】
0005838077.tif 000006